(57)【要約】【課題】  球通路と払出装置との連結部分における球詰まりを抑制できる遊技機を提供することを目的とする。【解決手段】  本発明に係る遊技機は、遊技球を貯留する貯留タンク４００と、遊技球を払い出す払出装置３００と、貯留タンク４００と払出装置３００とに連結し、貯留タンク４００から払出装置３００へ遊技球を案内する球通路２５０を有する整流樋２００とを備え、払出装置３００は、球通路２５０から遊技球を受け入れる球受け部３０１を有し、球通路２５０は、球通路２５０から突出して球受け部３０１の底面に接する突出部（レール２５０ａの突出部分）を有する。【選択図】      図２
2006204825.tif 000002
【特許請求の範囲】
【請求項１】
遊技球を貯留する貯留部と、
前記遊技球を払い出す払出装置と、
前記貯留部と前記払出装置とに連結し、前記貯留部から前記払出装置へ遊技球を案内する球通路を有する整流樋とを備え、
前記払出装置は、前記球通路から遊技球を受け入れる球受け部を有し、
前記球通路は、前記球通路から突出して前記球受け部の底面に接する突出部を有する、
ことを特徴とする遊技機。
【請求項２】
前記払出装置には、当該払出装置の上方向への移動を規制する上方向移動規制部が設けられていることを特徴とする請求項１記載の遊技機。
【請求項３】
前記上方向移動規制部は、前記払出装置の上方向への移動を規制するように前記整流樋の鉛直方向に配置されていることを特徴とする請求項２記載の遊技機。
【請求項４】
前記払出装置には、当該払出装置の鉛直方向への移動を規制する鉛直方向移動規制部が設けられていることを特徴とする請求項１〜３の何れか一項に記載の遊技機。
【請求項５】
球通路を覆うように前記整流樋に取り付けられた球通路カバーを更に備え、
前記球通路カバーには凹部が形成され、
前記鉛直方向移動規制部は、前記球通路カバーに形成されている前記凹部に嵌め込まれ、前記払出装置の鉛直方向への移動を規制する凸部であることを特徴とする請求項４記載の遊技機。
【請求項６】
前記整流樋は、前記球通路を幅方向に複数有していることを特徴とする請求項１〜４の何れか一項に記載の遊技機。
【発明の詳細な説明】
【技術分野】
【０００１】
本発明は、遊技機に関し、特に整流樋を具備するパチンコ遊技機やスマートボール等に適用して有効な技術に関するものである。
【背景技術】
【０００２】
従来より、遊技機内部（本体枠背面）には、遊技球を上流側から下流側に向けて整列して供給する球通路を備えた整流樋が配置されている。そして、当該球通路の底面と内壁面との境界部分における貫通孔の下流側の端縁には、遊技球の流れを妨げないように形成した凸部（リブ）が設けられている（例えば、特許文献１）。
【０００３】
異物はこの凸部に阻止されて貫通孔に落ち込むので、遊技球の表面に付着している異物も除去しやすく、異物の排出がより確実に行われるようになっている。
【特許文献１】特開平８−２３８３６７号公報
【発明の開示】
【発明が解決しようとする課題】
【０００４】
上記従来技術においては、上記凸部によって異物が排出されるようになっているため、異物が滞留した際に発生する球詰まりを抑制することができる。しかしながら、球通路と当該球通路に連結する送出樋(払出装置)との間(連結部分)で発生する球詰まりを解消することはできなかった。
【０００５】
特に、整流樋と払出装置との組付け精度が低い場合においては、上記連結部分にて球詰まりが発生する虞が増大していた。
【０００６】
そこで、本発明は、球通路と払出装置との連結部分における球詰まりを抑制できる遊技機を提供することを目的とする。
【課題を解決するための手段】
【０００７】
上記課題を解決するため、請求項１に記載の本発明の遊技機は、遊技球を貯留する貯留部（貯留タンク４００）と、遊技球を払い出す払出装置（払出装置３００）と、貯留部と払出装置とに連結し、貯留部から払出装置へ遊技球を案内する球通路（球通路２５０）を有する整流樋（整流樋２００）とを備え、払出装置は、球通路から遊技球を受け入れる球受け部（球受け部３０１）を有し、球通路は、球通路から突出して球受け部の底面（球受け部底面３０１ａ）に接する突出部（レール２５０ａの突出部分）を有することを特徴とする。
【０００８】
このように、突出部が払出装置の球受け部の底面に接することにより、払出装置の上方向への移動が規制されるため、払出装置の組付け精度を向上させることができ、球通路と払出装置との連結部分における球詰まりを抑制することができる。
【０００９】
さらに、上記突出部によって遊技球が払出装置に案内されるようになっているので、これによっても球通路と払出装置との連結部分における球詰まりを抑制することができる。
【００１０】
請求項２に記載の本発明は、請求項１に記載の発明の構成に加えて、払出装置には、当該払出装置の上方向への移動を規制する上方向移動規制部（段差部３０３）が設けられていることを特徴とする。
【００１１】
このように、払出装置に上方向移動規制部を設けることにより、払出装置の上方向への移動を規制することができ、整流樋と払出装置との組付け精度がより向上する。そのため、球通路と払出装置との連結部分における球詰まりをより効果的に抑制することができる。
【００１２】
請求項３に記載の本発明は、請求項１または２に記載の発明の構成に加えて、上方向移動規制部は、払出装置の上方向への移動を規制するように整流樋の鉛直方向に配置されていることを特徴とする。
【００１３】
これにより、上方向移動規制部は、払出装置の上方向への移動をより規制することができ、整流樋と払出装置との組付け精度がより向上する。そのため、球通路と払出装置との連結部分における球詰まりをより効果的に抑制することができる。
【００１４】
請求項４に記載の本発明は、請求項１〜３の何れか一項に記載の発明の構成に加えて、払出装置には、当該払出装置の鉛直方向への移動を規制する鉛直方向移動規制部（凸部３０２）が設けられていることを特徴とする。
【００１５】
このように、払出装置に鉛直方向移動規制部を設けることにより、払出装置の鉛直方向への移動が規制されるため、払出装置の組付け精度をより向上させることができる。そのため、球通路と払出装置との連結部分における球詰まりをより効果的に抑制することができる。
【００１６】
請求項５に記載の本発明は、請求項４に記載の発明の構成に加えて、球通路を覆うように整流樋に取り付けられた球通路カバー（球通路カバー２６０）を更に備え、球通路カバーには凹部（凹部２６０ｂ）が形成され、鉛直方向移動規制部は、球通路カバーに形成されている凹部に嵌め込まれ、払出装置の鉛直方向への移動を規制する凸部（凸部３０２）であることを特徴とする。
【００１７】
これにより、払出装置が球通路カバーに取り付けられるため、払出装置の鉛直方向への移動の規制がより強化され、払出装置の組付け精度がより向上する。そのため、球通路と払出装置との連結部分における球詰まりをより効果的に抑制することができる。
【００１８】
請求項６に記載の本発明は、請求項１〜５の何れか一項に記載の発明の構成に加えて、整流樋は、球通路を幅方向に複数有していることを特徴とする。
【００１９】
このように、整流樋は、幅方向に複数の球通路を有しているため、いずれかの球通路に球詰まりが発生した場合においても遊技を継続して実行することができる。つまり、球詰まりによって遊技が中断される虞を緩和させることができる。
【発明の効果】
【００２０】
本発明によれば以下の効果を奏することができる。
【００２１】
すなわち、本発明によれば、球通路の突出部が払出装置の球受け部の底面に接しているので、払出装置の上方向への移動が規制される。これにより、払出装置の組付け精度を向上させることができ、球通路と払出装置との連結部分における球詰まりを抑制することができる。
【００２２】
さらに、上記突出部によって遊技球が払出装置に案内されるようになっているので、これによっても球通路と払出装置との連結部分における球詰まりを抑制することができる。
【発明を実施するための最良の形態】
【００２３】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２４】
図１は本発明の一実施の形態にである遊技機を示す斜視図、図２は図１の遊技機の本体枠の背面側を示す説明図、図３は本実施の形態に係る整流樋および払出装置が連結した状態を示す説明図、図４は本実施の形態に係る整流樋および払出装置を示す斜視図、図５は本実施の形態に係る整流樋を示す斜視図、図６は本実施の形態に係る払出装置を示す正面図、図７は払出装置本体および払出装置カバーを示す説明図、図８は図５に係る整流樋のＢ−Ｂ線断面図、図９は本実施の形態に係る球通路の平面図、図１０は本実施の形態に係る整流樋と払出装置の連結点の拡大図、図１１は本実施の形態に係る球通路カバーの斜視図、図１２は本実施の形態に係る球通路カバーの正面図、図１３は本実施の形態に係る整流樋に取り付けられる球通路カバーおよび払出装置を示す斜視説明図、図１４は図１３における球通路カバーおよび払出装置が整流樋に取り付けられた状態を示す斜視図である。
【００２５】
図１に示すように、パチンコ遊技機（遊技機）１は、遊技盤２ａが装着された本体枠３ａがヒンジを介して島設備に固定されるベース枠３ｂに回動可能に取り付けられ（すなわち、本体枠３ａは、本体枠３ａの一方端を回動支点として支持されて当該ベース枠３ｂに開閉可能に取り付けられる。）、これら本体枠３ａおよびベース枠３ｂで遊技機本体３が構成されている。そして、このような遊技機本体３に対して、遊技盤２ａを視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００２６】
また、本体枠３ａの裏面側には液晶ユニット４０が備えられている。また、液晶ユニット４０には、特別図柄（または装飾図柄）および所定の演出画像（リーチ演出画像等）が表示される。本実施の形態において、液晶ユニット４０は、遊技盤２ａを通して視認可能になっている。
【００２７】
上述したような遊技盤２ａの下方には、図１に示すように、皿ユニット５が配置されている。皿ユニット５の上部に、払い出された遊技球および遊技領域に打ち込まれる遊技球が貯留される上皿５ａが配置されているとともに、皿ユニット５の下部に、払い出しにより上皿５ａからオーバーフローした遊技球が貯留される下皿５ｂが配置されている。また、上皿５ａの所定の位置に、遊技終了時などにおいて上皿５ａに貯留された遊技球を下皿５ｂに移動させて取り出す場合に操作されるシャッタレバー１０が設けられている。
【００２８】
皿ユニット５の右側には、レール６を介して遊技盤２ａの遊技領域へ遊技球を打ち込む際に回動操作されるハンドル７が設けられている。ハンドル７には遊技球の発射を停止するストップボタン（図示せず）が設けられている。
【００２９】
なお、ガラス扉４の上部の左右には、スピーカ８ａ，８ｂがそれぞれ配置されている。
【００３０】
次に、図２を用いて本体枠３ａの背面側の構成について説明する。
【００３１】
図２は、本体枠３ａの背面側を示す説明図である。
【００３２】
なお、図２において、向かって右側がヒンジ側（ヒンジを介してベース枠３ｂに回動可能に取り付けられている側。すなわち、回動支点として支持される側。）であり、左側が開閉端側である。そのため、遊技機内部が開放される場合は、開閉端側から開放される。
【００３３】
また、同図に示すように、本体枠３ａの背面には、遊技機１の動作を実現するためのさまざまな電子部品や電子部品等を実装した基板等が搭載されている。
【００３４】
例えば、本体枠３ａの背面中央には、予め設定されたプログラムに従ってパチンコ機１の遊技動作を行うメインＣＰＵ（超小型演算処理装置）等を実装する主制御基板１００が、本体枠３ａの背面の中央よりやや上右側にはＡＣ電源の取り込みや基板間の信号の中継を行う枠中継基板１３０が、本体枠３ａの背面の中央よりやや下左側には各電子部品が動作するために必要な電圧の電源を生成する電源基板１５０が、本体枠３ａの背面の中央よりやや下右側には、賞球や貸球等を皿ユニット５に向けて払出す払出装置３００（後述）を駆動制御する払出制御基板１７０がそれぞれ搭載されている。なお、本体枠３ａの背面の上部には遊技球が貯留される貯留タンク４００が配置されている。さらに、本体枠３ａの背面の各所には、電子部品を搭載した基板間を電気的に接続する配線（例えば、図９に示す配線２１０）が伸びている。
【００３５】
そして、本体枠３ａの背面の中央よりやや上左側、すなわち、主制御基板１００の上方には、制御基板ケース５０が搭載されている。制御基板ケース５０には、演出制御基板(図示せず)が格納されている。
【００３６】
なお、本実施の形態においては、上記演出制御基板により、液晶ユニット４０の画像表示制御や、遊技機１の各所に配置されているランプ・ＬＥＤ（図示せず）等の発光表示制御、スピーカ８ａ，８ｂからの音出力制御が行われる。
【００３７】
貯留タンク４００の下方には、整流樋２００が下流に向って緩く傾斜して配置されている。
【００３８】
なお、本実施の形態においてこの整流樋２００は、本体枠３ａ背面にビス止めされて取り付けられている。
【００３９】
また、整流樋２００の図面右端には、賞球や貸球等を皿ユニット５に向けて払出す払出装置３００が配置されている。
【００４０】
ここで、本実施の形態においてこの払出装置３００は、爪等により本体枠３ａ背面に取り付けられるようになっている。但し、これに限られず、他の方法により本体枠３ａ背面に取り付けられていてもよい。
【００４１】
なお、払出装置３００を爪等により取り付けた場合における利点は、ビス止めにより固定する場合に比べ、着脱が容易となることである。これにより、球詰まりが発生した場合における対処をすばやく行うことができる。
【００４２】
なお、貯留タンク４００の図面左端の底面部には、複数個の遊技球が流出可能な球出口（図示せず）が設けられており、この球出口から整流樋２００の後述する球流入部２０３（図３〜図５）に向けて遊技球が流出するようになっている。
【００４３】
このように、本体枠３ａの背面には、電子部品や基板等が搭載されている。
【００４４】
但し、これらＣＰＵなどの電子部品を実装（搭載）した主制御基板１００などの搭載位置は一例に過ぎず、また、本発明の遊技機に搭載される電子部品や基板などは列挙されたものに限定されない。つまり、電子部品としては、他にもソレノイドなど、電力の供給を受けて動作する種々の部品を適用することが可能であり、また主制御基板１００を、制御基板ケース５０内に含めるなど、基板としての構成には様々な態様が考えられる。
【００４５】
次に、図３〜図９を用いて整流樋２００について説明する。
【００４６】
整流樋２００の上流側は貯留タンク４００に連結されており、貯留タンク４００の上記球出口から流出される遊技球を受ける球流入部２０３が備えられている。一方、その下流側は払出装置３００に連結されており、球流入部２０３から受けた遊技球は、後述する球通路２５０（図５）によって払出装置３００まで案内されるようになっている（図３および図４参照）。
【００４７】
この整流樋２００は、前述のとおり下流に向かって緩く傾斜して配置されており、その末端が下端となっている（以下、当該下端を「下流端部２００ｂ」という。）。
いる。
【００４８】
また、図５に示すように、整流樋２００は横長で、両側壁２０１により上面が開放された樋状に形成されている。整流樋２００の内部は、遊技球の送出方向に沿って底面中央に設けられた区画壁２０２によって２列に区分され、２つの球通路２５０，２５０が幅方向に並んで形成されている。各球通路２５０には、球流入部２０３から払出装置３００に至るまで直線的に延びて成るレール２５０ａが設けられ、これにより、図８のＢ−Ｂ線断面図や、図９の平面図に示すように、遊技球５００が球通路２５０，２５０内において横方向に１列ずつに整列されて送出されやすくなっている。
【００４９】
この整流樋２００は、前述の球流入部２０３から球通路２５０の出口に至るまで緩やかな勾配（水平方向の傾き）をもち、遊技球５００をその自重によって球流入部２０３側から払出装置３００側へ転動させるようになっている。
【００５０】
上記のように整流樋２００の球通路２５０，２５０に設けられたレール２５０ａ，２５０ａの幅は遊技球５００の直径よりも小さく、これらのレール２５０ａには、遊技球５００を払出装置３００に案内する機能のほかに、遊技球５００の流れに混入している樹脂ペレットや塵などの異物を排出する溝としての機能がある。
【００５１】
さらに、上記レール２５０ａ，２５０ａの先端は、図５および図９に示すように球通路２５０から突出して延びており、そのレール２５０ａの突出部分（突出部）は、図１０の拡大図に示すように、払出装置３００の球受け部３０１の内側に向って突出するようになっている。このレールの突出部分によって遊技球５００が払出装置３００の球受け部３０１に確実に案内されるようになる。
【００５２】
なお、このレールの突出部分は、図１０に示すように球受け部３０１の底面（以下、「球受け部底面３０１ａ」という。）に接するようになっていてもよい。これにより払出装置３００の上方向への動きを規制することができ、整流樋２００と払出装置３００との組み付け精度をより向上させることができる。
【００５３】
また、両側壁２０１には、後述する球通路カバー２６０を係止させるための係止孔２００ａが形成されている。
【００５４】
次に図３，図４，図６および図７を用いて払出装置３００について説明する。
【００５５】
図６は本実施の形態に係る払出装置を示す正面図であり、図７は払出装置カバー３００ｂと払出装置本体３００ａを示す説明図である。
【００５６】
図３，図４，図６に示すような払出装置３００は、払出装置本体３００ａ（図７）に払出装置カバー３００ｂ（図７）が取り付けられることにより形成されるようになっている。
【００５７】
払出装置３００は、整流樋２００との連結部分において、球通路２５０，２５０から遊技球を受け入れる球受け部３０１，３０１（図６）を有し、この球受け部３０１，３０１から払出装置３００内に入り込んだ遊技球は、蛇行して形成されている払出球通路３０４（図６の払出装置本体３００ａ参照）を転動流下して、皿ユニット５に払い出されるようになっている（図４，図６および図７参照）。
【００５８】
また、払出装置３００の球受け部３０１の下方には、整流樋２００の下流端部２００ｂを搭載可能な段差部（上方向移動規制部）３０３が設けられている（図３〜図７参照）。この段差部３０３を整流樋２００における下流端部２００ｂの鉛直方向に配置して上記下流端部２００ｂを搭載することにより、払出装置３００の上方向への移動を規制することができる（図３，図４，図１３および図１４参照）。
【００５９】
なお、本実施の形態において、上記段差部３０３と下流端部２００ｂとは、接触している状態であるが、これに限られず、非接触の状態であってもよい。
【００６０】
さらに、球受け部３０１の上方には後述の球通路カバー２６０に嵌め込まれる凸部（鉛直方向移動規制部）３０２が設けられている（図４および図６参照）。
【００６１】
本実施の形態において、この凸部３０２は、図６に示すように、左右の球受け部３０１の上方から延出しており、それぞれの先端部は半円状を呈して互いに隙間を空けて形成されている。但し、凸部３０２は、球通路カバー２６０に嵌め込めることができれば、任意の形状でよい。
【００６２】
次に図１１および図１２を用いて球通路カバー２６０について説明する。
【００６３】
図１１の斜視図および図１２の正面図に示すように、球通路カバー２６０の両側面には、外方に突出する係止爪２６０ａが形成されている。この係止爪２６０ａが、整流樋２００に形成された上記係止孔２００ａに係止されることにより球通路カバー２６０が整流樋２００に取り付けられるようになっている。また、この係止により球通路２５０（図５）は、球通路カバー２６０に覆われるようになる（図１３および図１４参照）。
【００６４】
また、図１１および図１２に示すように、球通路カバー２６０の両側面上部には、整流樋２００の両側壁２０１の上端に係合する鉤形の係合部２６０ｃが形成されている。
【００６５】
この係合部２６０ｃが両側壁２０１と係合することにより、球通路カバー２６０がより確実に整流樋２００に取り付けられるようになる（図１３および図１４参照）。
【００６６】
また、球通路カバー２６０が整流樋２００に取り付けられることにより、球通路カバー２６０は、整流樋２００内の遊技球を不規則状態から規則状態に均す球均し部材としての役割を果たすようになる。
【００６７】
具体的には、球通路カバー２６０の裏面側には、球通路２５０内の空間を調整することにより遊技球の流れを調節する球均し板（図示せず）が備えられている。当該均し板は、球通路２５０の下流になるにつれて、下方への傾斜角度を大きくして遊技球の流れを調節している。これにより、整流樋２００内の球通路２５０を流下する遊技球が徐々に整列して規則状態に均されるようになっている。
【００６８】
また、図１１の斜視図および図１２の正面図に示すように、球通路カバー２６０の正面略中央部分には、Ｕ字状に切り欠かかれた凹部２６０ｂが鉛直面に沿って配置されている。
【００６９】
このＵ字状に切り欠かれた凹部２６０ｂの底面に接触するように払出装置３００の凸部３０２が嵌め込まれることにより、払出装置３００が球通路カバー２６０に取り付けられるようになっている。また、これにより、整流樋２００の上方向への移動の規制が強化されるとともに、払出装置３００の鉛直方向への移動の規制がより強化されるため、払出装置３００の組付け精度がより向上する。
【００７０】
なお、本実施の形態において、球通路カバー２６０に凹部２６０ｂが、払出装置３００に凸部３０２がそれぞれ形成されていたが、払出装置３００が球通路カバー２６０に取り付けられさえすれば、他の形態であってもよい。例えば、払出装置３００に凹部が形成され、球通路カバー２６０に凹部に嵌め込まれる凸部が形成されていてもよい。
【００７１】
このように、本実施の形態においては、上方向移動規制部である段差部３０３と、鉛直方向移動規制部である凸部３０２と、レール２５０ａの突出部分とによって払出装置３００の移動を規制しているので、払出装置３００をビス止め等により厳重に固定していない場合においても、払出装置３００の組み付け精度の低下を防ぐことができる。
【００７２】
以上、本発明の実施の形態を説明したが、これは本発明を具体的に例示したに過ぎず、特に本発明を限定するものではない。
【００７３】
本実施の形態において、整流樋２００内には２列の球通路２５０，２５０が形成されていたが、これに限られず、一列であってもよいし、３列以上であってもよい。
【００７４】
以上説明したように、本実施の形態によれば、球通路２５０におけるレール２５０ａの突出部分が、払出装置３００における球受け部３０１の底面３０１ａに接しているので、払出装置３００の上方向への移動が規制される。これにより、払出装置３００の組付け精度を向上させることができ、球通路２５０と払出装置３００との連結部分における球詰まりを抑制することができる。
【００７５】
さらに、上記突出部によって遊技球が払出装置３００に案内されるようになっているので、これによっても球通路２５０と払出装置３００との連結部分における球詰まりを抑制することができる。
【００７６】
さらに、本実施の形態によれば、払出装置３００に段差部３０３（上方向移動規制部）を設けることにより、払出装置３００の上方向への移動を規制することができ、払出装置３００の組付け精度がより向上する。そのため、球通路２５０と払出装置３００との連結部分における球詰まりをより効果的に抑制することができる。
【００７７】
また、本実施の形態によれば、払出装置３００の凸部３０２（鉛直方向移動規制部）を球通路カバー２５０の凹部２６０ｂに嵌め込むことによって、払出装置３００が球通路カバー２５０に取り付けられる。これにより、払出装置３００の鉛直方向への移動が規制されるため、払出装置３００の組付け精度をより向上させることができる。そのため、球通路２５０と払出装置３００との連結部分における球詰まりをより効果的に抑制することができる。
【００７８】
さらに、本実施の形態によれば、整流樋２００は、幅方向に複数の球通路２５０を有しているため、いずれかの球通路２５０に球詰まりが発生した場合においても遊技を継続して実行することができる。つまり、球詰まりによって遊技が中断される虞を緩和させることができる。
【産業上の利用可能性】
【００７９】
以上の説明においては、本発明をパチンコ遊技機本体が遊技台に取り付けられた遊技機に適用した場合が説明されているが、本発明はこれに限定されるものではなく、スロットマシン（パチスロ機）、雀球、スマートボールあるいはゲームセンターに設置された各種ゲーム機など、種々の遊技機に適用することが可能である。
【図面の簡単な説明】
【００８０】
【図１】本発明の一実施の形態にである遊技機を示す斜視図である。
【図２】図１の遊技機の本体枠の背面側を示す説明図である。
【図３】本実施の形態に係る整流樋および払出装置が連結した状態を示す説明図である。
【図４】本実施の形態に係る整流樋および払出装置を示す斜視図である。
【図５】本実施の形態に係る整流樋を示す斜視図である。
【図６】本実施の形態に係る払出装置を示す正面図である。
【図７】払出装置本体および払出装置カバーを示す説明図である。
【図８】図５に係る整流樋のＢ−Ｂ線断面図である。
【図９】本実施の形態に係る球通路の平面図である。
【図１０】本実施の形態に係る整流樋と払出装置の連結点の拡大図である。
【図１１】本実施の形態に係る球通路カバーの斜視図である。
【図１２】本実施の形態に係る球通路カバーの正面図である。
【図１３】本実施の形態に係る整流樋に取り付けられる球通路カバーおよび払出装置を示す斜視説明図である。
【図１４】図１３における球通路カバーおよび払出装置が整流樋に取り付けられた状態を示す斜視図である。
【符号の説明】
【００８１】
１  パチンコ遊技機（遊技機）
２ａ  遊技盤
３  遊技機本体
３ａ  本体枠
４  ガラス扉
５  皿ユニット
５ａ  上皿
５ｂ  下皿
６  レール
７  発射ハンドル
８ａ，８ｂ  スピーカ
１０  シャッタレバー
４０  液晶ユニット
５０  制御基板ケース
１００  主制御基板
１３０  枠中継基板
１５０  電源基板
１７０  払出制御基板
２００  整流樋
２００ａ  係止孔
２００ｂ  下流端部
２０１  側壁
２０２  区画壁
２０３  球流入部
２５０  球通路
２５０ａ  レール
２６０  球通路カバー
２６０ａ  係止爪
２６０ｂ  凹部
２６０ｃ  係合部
３００  払出装置
３００ａ  払出装置本体
３００ｂ  払出装置カバー
３０１  球受け部
３０２  凸部（鉛直方向移動規制部）
３０３  段差部（上方向移動規制部）
３０４  払出球通路
４００  貯留タンク
５００  遊技球
【図１】
2006204825.tif 000003
【図２】
2006204825.tif 000004
【図３】
2006204825.tif 000005
【図４】
2006204825.tif 000006
【図５】
2006204825.tif 000007
【図６】
2006204825.tif 000008
【図７】
2006204825.tif 000009
【図８】
2006204825.tif 000010
【図９】
2006204825.tif 000011
【図１０】
2006204825.tif 000012
【図１１】
2006204825.tif 000013
【図１２】
2006204825.tif 000014
【図１３】
2006204825.tif 000015
【図１４】
2006204825.tif 000016